(57)【特許請求の範囲】
【請求項１】
ヘム生地による経編組織により、身体補整機能を有する本体部と、同じく身体補整機能を有し且つ前記本体部の縁に配される縁部とより少なくとも構成されてなる下着において、
前記本体部は、ポリウレタン糸及び４０デニール以上のナイロン糸を地糸として、パワーネット、サテンネットなど一般的な編みにより透視を妨げる部分とし、
前記縁部は、前記本体部と同じくポリウレタン糸及び３０デニール以下のナイロン糸を地糸として、透視可能な部分としたことを特徴とする下着。
【請求項２】
請求項１記載の下着であって、
前記ヘム生地に用いるナイロン糸による地糸は、前記本体部に用いたデニールよりも前記縁部に用いたデニールが小さい値であり、ポリウレタン糸による地糸は、前記本体部に用いたデニールよりも前記縁部に用いたデニールが大きい値であることを特徴とする下着。
【請求項３】
請求項１又は請求項２に記載の下着であって、
前記ヘム生地に用いるナイロン糸よりなる地糸は、マルチフィラメント（２２Ｔ／３）を用いたことを特徴とする下着。
【請求項４】
請求項１乃至請求項３の何れか１項に記載の下着の製造方法であって、
身体補整機能を有する本体部及び縁部より少なくとも構成されてなり、前記本体部に用いられる生地の編組織は、第１地糸と、第２地糸と、第３地糸と、第４地糸とよりなり、
前記第１地糸の位置は、編針位置番号の１から２にアンダーラップした後、編針位置番号の２から１にアンダーラップすることでワンサイクルとし、
前記第２地糸の位置は、編針位置番号の３から２にアンダーラップした後、編針位置番号の２から３にアンダーラップすることでワンサイクルとし、
前記第３地糸の位置は、編針位置番号の２から３にオーバーラップした後、編針位置番号の３から２までアンダーラップし、編針位置番号の２から１にオーバーラップした後、編針位置番号の１でアンダーラップし、編針位置番号の１から２にオーバーラップした後、編針位置番号の２から１にアンダーラップし、編針位置番号の１から０にオーバーラップした後、編針位置番号の０から１にアンダーラップし、編針位置番号の１から２にオーバーラップした後、編針位置番号の２でアンダーラップし、編針位置番号の２から１にオーバーラップした後、編針位置番号の１から２にアンダーラップすることでワンサイクルとし、
前記第４地糸の位置は、編針位置番号の２から１にオーバーラップした後、編針位置番号の１から２までアンダーラップし、編針位置番号の２から３にオーバーラップした後、編針位置番号の３でアンダーラップし、編針位置番号の３から２にオーバーラップした後、編針位置番号の２から３にアンダーラップし、編針位置番号の３から４までオーバーラップした後、編針位置番号の４から３にアンダーラップし、編針位置番号の３から２にオーバーラップした後、編針位置番号の２でアンダーラップし、編針位置番号の２から３までオーバーラップした後、編針位置番号の３から２にアンダーラップすることでワンサイクルとしているものであり、
前記縁部に用いられる生地の編組織は、第６地糸と、第７地糸と、耳糸とよりなり、
前記第６地糸の位置は、編針位置番号の４から５にオーバーラップした後、編針位置番号の５から４までアンダーラップすることで閉じ目とし、編針位置番号の４から３にオーバーラップした後、編針位置番号の３でアンダーラップすることで開き目とし、編針位置番号の３から４にオーバーラップし、編針位置番号の４から３にアンダーラップすることで閉じ目とし、編針位置番号の３から２にオーバーラップした後、編針位置番号の２から３にアンダーラップすることで閉じ目とし、編針位置番号の３から４にオーバーラップした後、編針位置番号の４でアンダーラップすることで開き目とし、編針位置番号の４から３にオーバーラップした後、編針位置番号の３から４までアンダーラップすることで閉じ目とするワンサイクルとしているものであり、
前記第７地糸の位置は、編針位置番号の３から４にアンダーラップした後、編針位置番号の４から３にアンダーラップすることでワンサイクルとしていることを特徴とする下着の製造方法。
【発明の詳細な説明】
【技術分野】
【０００１】
本発明は、ガードル、ショーツ、ブラジャー、キャミソール、アンダーシャツ、ボディスーツなどのように女性の身体に密着して着用される下着及びその下着の製造方法に関するものである。
【背景技術】
【０００２】
従来のガードル、ショーツ、ブラジャー、キャミソール、アンダーシャツ、ボディスーツなどのように女性の身体に密着して着用される下着は、女性のヒップアップや太腿補整、ウエスト部の補整など身体の体型補整機能を有するために、下着着用部分と未着用部分との境目となる下着の縁部に沿って帯状の縁部を施しているものがある（例えば特許文献１参照。）。
【特許文献１】特開２００７−１８６８２９号公報
【発明の開示】
【発明が解決しようとする課題】
【０００３】
しかし、かかる帯状の縁部を下着着用部分と未着用部分との境目となる下着の縁部に沿って施していることにより、下着の被覆部位全体が帯状の縁部の設けられている分、その下着の下に着用するランジェリーショーツなどより被覆部分が大きくなることで、ランジェリーショーツなどより重苦しい印象を与え、ファッション性において改善が求められている。
【０００４】
また、下着の縁部が肌に食い込んで圧迫することにより、長い時間そうした下着を着用すると圧迫痕が肌につくおそれがある。更に、かかる帯状の縁部が身体より凸状となることで、タイトなアウターを着用する際に縁部に引っ掛かったり、縁部が線となってアウターに現れ、不体裁でファッション性に優れないし、下着の縁部の部分に対してごわごわ感（違和感）を着用者に与えるおそれがある。こうした課題に対して、改善が求められている。
【０００５】
本発明は、上述の如き課題に対処し、女性のヒップアップなどの身体補整機能を維持しつつ、よりファッショナブルであり、違和感を着用者に与えず、縁部が線となってアウターに現れないことにより、より手軽に装いを楽しみたいという女性の要望に応えられる下着及びその下着の製造方法を提供することを目的とするものである。
【課題を解決するための手段】
【０００６】
即ち、上記目的に適合する請求項１に記載の発明は、前記本体部は、ポリウレタン糸及び４０デニール以上のナイロン糸を地糸として、パワーネット、サテンネットなど一般的な編みにより透視を妨げる部分とし、前記縁部は、前記本体部と同じくポリウレタン糸及び３０デニール以下のナイロン糸を地糸として、透視可能な部分としたことを特徴とする。
【０００９】
請求項２に記載の発明は、請求項１記載の下着であって、前記ヘム生地に用いるナイロン糸による地糸は、前記本体部に用いたデニールよりも前記縁部に用いたデニールが小さい値であり、ポリウレタン糸による地糸は、前記本体部に用いたデニールよりも前記縁部に用いたデニールが大きい値であることを特徴とする
【００１０】
請求項３に記載の発明は、請求項１又は請求項２に記載の下着であって、前記ヘム生地に用いるナイロン糸よりなる地糸は、マルチフィラメント（２２Ｔ／３）を用いたことを特徴とする。
【００１１】
請求項４に記載の発明は、請求項１乃至請求項３の何れか１項に記載の下着の製造方法であって、身体補整機能を有する本体部及び縁部より少なくとも構成されてなり、前記本体部に用いられる生地の編組織は、第１地糸と、第２地糸と、第３地糸と、第４地糸とよりなり、前記第１地糸の位置は、編針位置番号の１から２にアンダーラップした後、編針位置番号の２から１にアンダーラップすることでワンサイクルとし、前記第２地糸の位置は、編針位置番号の３から２にアンダーラップした後、編針位置番号の２から３にアンダーラップすることでワンサイクルとし、前記第３地糸の位置は、編針位置番号の２から３にオーバーラップした後、編針位置番号の３から２までアンダーラップし、編針位置番号の２から１にオーバーラップした後、編針位置番号の１でアンダーラップし、編針位置番号の１から２にオーバーラップした後、編針位置番号の２から１にアンダーラップし、編針位置番号の１から０にオーバーラップした後、編針位置番号の０から１にアンダーラップし、編針位置番号の１から２にオーバーラップした後、編針位置番号の２でアンダーラップし、編針位置番号の２から１にオーバーラップした後、編針位置番号の１から２にアンダーラップすることでワンサイクルとし、前記第４地糸の位置は、編針位置番号の２から１にオーバーラップした後、編針位置番号の１から２までアンダーラップし、編針位置番号の２から３にオーバーラップした後、編針位置番号の３でアンダーラップし、編針位置番号の３から２にオーバーラップした後、編針位置番号の２から３にアンダーラップし、編針位置番号の３から４までオーバーラップした後、編針位置番号の４から３にアンダーラップし、編針位置番号の３から２にオーバーラップした後、編針位置番号の２でアンダーラップし、編針位置番号の２から３までオーバーラップした後、編針位置番号の３から２にアンダーラップすることでワンサイクルとしているものであり、前記縁部に用いられる生地の編組織は、第６地糸と、第７地糸と、耳糸とよりなり、前記第６地糸の位置は、編針位置番号の４から５にオーバーラップした後、編針位置番号の５から４までアンダーラップすることで閉じ目とし、編針位置番号の４から３にオーバーラップした後、編針位置番号の３でアンダーラップすることで開き目とし、編針位置番号の３から４にオーバーラップし、編針位置番号の４から３にアンダーラップすることで閉じ目とし、編針位置番号の３から２にオーバーラップした後、編針位置番号の２から３にアンダーラップすることで閉じ目とし、編針位置番号の３から４にオーバーラップした後、編針位置番号の４でアンダーラップすることで開き目とし、編針位置番号の４から３にオーバーラップした後、編針位置番号の３から４までアンダーラップすることで閉じ目とするワンサイクルとしているものであり、前記第７地糸の位置は、編針位置番号の３から４にアンダーラップした後、編針位置番号の４から３にアンダーラップすることでワンサイクルとしていることを特徴とする。
【発明の効果】
【００１２】
請求項１に記載の発明によれば、前記本体部は、ポリウレタン糸及びナイロン糸を地糸として、パワーネット、サテンネットなど一般的な編みにより透視を妨げる糸密度の高い部分とし、前記縁部は、前記本体部と同じくポリウレタン糸及びナイロン糸を地糸として、透視可能な糸密度の低い部分としたことで、前記縁部の経編組織を前記本体部より糸密度を変化させたことになり、身体補整機能を有する縁部があることによって、ヒップアップなどの身体補整機能を維持しつつ、その縁部を通して着用した女性の地肌が透視可能なので、下着は本体部のみしかないように見える。換言すると、あたかも縁部が存在していないように見えることとなり、身体補整機能を有する下着がよりファッショナブルとなり、前記縁部が薄くなることで違和感を着用者に与えないし、前記縁部が線となってアウターに現れないことにより、より手軽に装いを楽しみたいという女性の要望に応えられる下着とすることができる。
【００１３】
また、前記ヘム生地に用いる地糸には、ポリウレタン糸と、前記縁部が３０デニール以下を用い且つ前記本体部が４０デニール以上のナイロン糸とを用いたことで、前記縁部の透視性能が確実なものとなるし、前記縁部自体が薄くなる。また、前記本体部は透視を妨げる性能が確実なものとなるので、女性の陰部や乳首などの隠したいものを確実に隠す効果を損なわないことになる。
【００１５】
請求項２に記載の発明によれば、 前記ヘム生地に用いるナイロン糸による地糸は、前記本体部に用いたデニールよりも前記縁部に用いたデニールが小さい値であり、ポリウレタン糸による地糸は、前記本体部に用いたデニールよりも前記縁部に用いたデニールが大きい値であることで、前記縁部の透視性を維持しつつ、縁部の伸張性が低くなり、着用した状態でのずり上がりが確実に妨げられることになる。
【００１６】
請求項３に記載の発明によれば、前記ヘム生地に用いるナイロン糸よりなる地糸は、マルチフィラメント（２２Ｔ／３）を用いたことで、ファッション性を維持しつつも弾性回復性に優れるため、肌当たりをやさしくすることができる。
【００１７】
請求項４に記載の発明によれば、前記本体部である不透視部分は、地糸を４本とも太くし、糸密度の高い部分に編むことで、不透視を確実なものとしている。また、前記縁部の透視可能部分は、２本の地糸を用いて糸密度の低いものとすることで、布を通しての透視を確実なものとしている。
【発明を実施するための最良の形態】
【００１８】
女性のヒップアップなどの身体補整機能を維持しつつ、よりファッショナブルであり、違和感を着用者に与えず、縁部が線となってアウターに現れないことにより、より手軽に装いを楽しみたいという女性の要望に応えられる下着及びその下着の製造方法を提供するため、ヘム生地による経編組織により、身体補整機能を有する本体部と、同じく身体補整機能を有し且つ前記本体部の縁に配される縁部とより少なくとも構成されてなる下着において、前記本体部は、ポリウレタン糸及び４０デニール以上のナイロン糸を地糸として、パワーネット、サテンネットなど一般的な編みにより透視を妨げる部分とし、前記縁部は、前記本体部と同じくポリウレタン糸及び３０デニール以下のナイロン糸を地糸として、透視可能な部分としたことで、実現した。
【実施例】
【００１９】
図１〜図４は、この発明の第１実施例を示す図である。
【００２０】
図１は、この第１実施例に係る下着１０を構成する身体補整機能を有する本体部１１及び縁部１２のラッセル編地の各構成糸のラッピング状態を分解して示す経編組織図である。図中の符号１〜５は、前記本体部１１を構成する第１〜第５地糸を示す。符号６〜７は、前記縁部１２を構成する第６〜第７地糸を示す。耳部９を構成するものは、前記第５地糸５と第８地糸８とよりなる。この他に、本体部１１に適宜の柄を付与する場合は、適宜の柄糸を用いて適宜のデザインが付与されることは周知のことである。
【００２１】
前記本体部１１の前記第１地糸１はポリウレタン２３５Ｔであり、好みの色を選択可能である。前記第２地糸２はポリウレタン２３５Ｔのクリア系の糸であり、前記第３地糸３はナイロン４４Ｔ／３４であり、好みの色を選択可能である。
前記第４地糸４はナイロン４４Ｔ／３４であり、好みの色を選択可能である。第５地糸５はナイロン２２Ｔ／７のクリア系の糸である。前記第２地糸２は、ポリウレタン２３５Ｔであるから、ストレッチ性を有し、身体補整機能を有する。
【００２２】
前記縁部１２の第６地糸６はナイロン２２Ｔ／３のクリア系の糸であり、前記第７地糸７はポリウレタン１５５Ｔのクリア系の糸である。前記第５地糸５及び第８地糸８は、縁部１２の耳部９として設けられるものである。即ち、前記第８地糸８はナイロン２２Ｔ／７のクリア系の糸である。前記第７地糸７は、ポリウレタン１５５Ｔであるから、ストレッチ性を有し、身体補整機能を有する。
【００２３】
そして、この経編組織の編成においては、前記本体部１１に用いられる生地の編組織は、前記第１地糸１と、前記第２地糸２と、前記第３地糸３と、前記第４地糸４とよりなる。
【００２４】
前記第１地糸１の位置は、本体部１１の一部を編針位置番号の１とし、その１から２にアンダーラップした後、編針位置番号の２から１にアンダーラップすることでワンサイクルとした。以下第８地糸８の位置まで同じ考え方で説明する。
【００２５】
前記第２地糸２の位置は、編針位置番号の３から２にアンダーラップした後、編針位置番号の２から３にアンダーラップすることでワンサイクルとした。
【００２６】
前記第３地糸３の位置は、編針位置番号の２から３にオーバーラップした後、編針位置番号の３から２までアンダーラップし、編針位置番号の２から１にオーバーラップした後、編針位置番号の１でアンダーラップし、編針位置番号の１から２にオーバーラップした後、編針位置番号の２から１にアンダーラップし、編針位置番号の１から０にオーバーラップした後、編針位置番号０から１にアンダーラップし、編針位置番号の１から２にオーバーラップした後、編針位置番号２でアンダーラップし、編針位置番号の２から１にオーバーラップした後、編針位置番号１から２にアンダーラップすることでワンサイクルとしている。
【００２７】
前記第４地糸４の位置は、編針位置番号の２から１にオーバーラップした後、編針位置番号１から２までアンダーラップし、編針位置番号の２から３にオーバーラップした後、編針位置番号３でアンダーラップし、編針位置番号の３から２までオーバーラップした後、編針位置番号の２から３にアンダーラップし、編針位置番号の３から４までオーバーラップした後、編針位置番号の４から３にアンダーラップし、編針位置番号の３から２にオーバーラップした後、編針位置番号２でアンダーラップし、編針位置番号の２から３までオーバーラップした後、編針位置番号の３から２にアンダーラップすることでワンサイクルとしている。
【００２８】
前記第５地糸５の位置は、編針位置番号の３から４にオーバーラップした後、編針位置番号４でアンダーラップすることで開き目とし、編針位置番号の４から３までオーバーラップした後、編針位置番号３でアンダーラップすることで開き目とするワンサイクルとしている。前記第５地糸５は、本体部１１と縁部１２との境目にほつれ止めとしている他に、後述する耳部９に配されてほつれ止めとしている。
【００２９】
そして、この経編組織の編成においては、前記縁部１２に用いられる生地の編組織は、前記第６地糸６と、前記第７地糸７と、前記耳部９の第５地糸５と、前記耳部９の前記第８地糸８とよりなる。
【００３０】
前記耳部９の第５地糸５の場合は、編針位置番号の１５から１６にオーバーラップした後、編針位置番号１６でアンダーラップすることで開き目とし、編針位置番号の１６から１５までオーバーラップした後、編針位置番号１５でアンダーラップすることで開き目とするワンサイクルとしている。
【００３１】
前記第６地糸６の位置は、編針位置番号の４から５にオーバーラップした後、編針位置番号の５から４までアンダーラップすることで閉じ目とし、編針位置番号の４から３にオーバーラップした後、編針位置番号の３でアンダーラップすることで開き目とし、編針位置番号の３から４にオーバーラップし、編針位置番号の４から３にアンダーラップすることで閉じ目とし、編針位置番号の３から２にオーバーラップした後、編針位置番号２から３にアンダーラップすることで閉じ目とし、編針位置番号の３から４にオーバーラップした後、編針位置番号４でアンダーラップすることで開き目とし、編針位置番号の４から３にオーバーラップした後、編針位置番号３から４までアンダーラップすることで閉じ目とするワンサイクルとしている。
【００３２】
前記第７地糸７の位置は、編針位置番号の３から４にアンダーラップした後、編針位置番号の４から３にアンダーラップすることでワンサイクルとしている。
【００３３】
前記耳部９の前記第８地糸８の位置は、編針位置番号の１６から１７にオーバーラップした後、編針位置番号１７でアンダーラップすることで開き目とし、編針位置番号の１７から１６までオーバーラップした後、編針位置番号１６でアンダーラップすることで開き目とするワンサイクルとしている。この第８地糸８も縁部１２のほつれ止めとしている。
【００３４】
かかる身体補整機能を有する本体部１１及び縁部１２より少なくとも構成する下着としてのガードル１０は、図４に示す生地２０のようにパターン配置されている。ここで、「少なくとも構成する」としたのは、本体部１１及び縁部１２の他に、フリルや装飾体を設けたものなどを含むようにしているということである。生地２０に、符号１１ａで示す位置は、本体部１１となる腹部充当部片３０と、臀部充当部片３１と、クロッチ部片３２とが裁断され、符号１１ｂ及び１１ｃで示す位置は、前記本体部１１の上下２箇所の縁部１２となるウエスト部３３と、裾縁部３４とよりなるから、側部の縫製部１３で立体縫製することにより、図２及び図３に示すガードル１０となる。前記クロッチ部片３２に綿天竺または綿トリコットなど肌当たりのよい素材を縫合すれば、ガードル１０として完成する。
【００３５】
以上の第１実施例によれば、前記縁部１２を構成する第６地糸６と第７地糸７とが、前記本体部１１を構成する第１地糸１乃至第５地糸５よりも細い糸を用いていて、しかも透視可能な糸密度の低い部分としたことで、経編組織を本体部１１より変化させたことになり、身体補整機能を有する縁部１２があることによって、図示しない女性のヒップアップなどの身体補整機能を維持しつつ、着用した女性の地肌がその縁部１２を通して透視可能なので、ガードル１０は本体部１１のみしかないように見えることになる。つまり、このことを換言すると、あたかも縁部１２が存在していないように見えることとなり、身体補整機能を有するガードル１０がよりファッショナブルとなる。
【００３６】
また、前記したように、前記縁部１２を構成する第６地糸６と第７地糸７とが前記本体部１１を構成する第１地糸１乃至第５地糸５よりも細い糸しか使っていないので薄くなり、違和感（存在感）を図示しない着用者に与えにくいことになる。更に、前記縁部１２が薄くなることで、線となってアウターに現れないことにより、より手軽に装いを楽しみたいという女性の要望に応えられる下着とすることができる。
【００３７】
また、前記縁部１２の第６地糸６は、３０デニール以下のナイロン糸を用いたことで、前記縁部１２の透視性能が確実なものとなる。尚、該縁部１２の第７地糸７は、２１０デニール以下のポリウレタン糸を用いている。また、前記本体部１１の第１地糸１及び第２地糸２が２１０デニール以上のポリウレタン糸を用い、第３地糸３及び第４地糸４が４０デニール以上のナイロン糸を用いたことで、本体部１１は透視を妨げる性能が確実なものとなるので、女性の陰部などの隠したいものを確実に隠す効果を損なわないことになる。
【００３８】
更に、前記縁部１２の第７地糸７が、ナイロン糸の３０デニール以下であれば、第６地糸６は、ポリウレタン糸のクリアタイプの２１０デニールであっても、前記縁部１２の透視性能が確実なものとなるし、縁部１２自体が薄くなる。また、前記本体部１１の第１地糸１及び第２地糸２が２１０デニール以上のポリウレタン糸を用い、第３地糸３及び第４地糸４が４０デニール以上のナイロン糸を用いたことで、本体部１１は透視を妨げる性能が確実なものとなる。
【００３９】
更に、マルチフィラメント（22T/3）のナイロン糸を用いたことで、ファッション性を維持しつつも弾性回復性に優れるため、肌当たりをやさしくすることができる。
【００４０】
更に、前記本体部１１である不透視部分は、第１地糸１乃至第４地糸４とも太くし、糸密度の高い部分に編むことで、不透視を確実なものとしている。また、前記縁部１２の透視可能部分は、第６地糸６と第７地糸７との２本の地糸を用いて糸密度の低いとすることで、布を通しての透視を確実なものとしている。
【００４１】
図５乃至図７に示すものは、この発明の第２実施例であり、かかる身体補整機能を有する本体部４１及び縁部４２より構成するガードル４０は、図７に示す生地５１のようにパターン配置されている。即ち、符号４３で示す位置が、前記本体部４１となる右脇腹部充当部片４４と、左脇腹部充当部片４５と、クロッチ部片４６とよりなり、符号４７及び４８で示す位置が、即ち本体部４１の上下２箇所の縁部４２となるウエスト部４９と、裾縁部５０とよりなるから、前後部で立体縫製することで、図５及び図６に示すガードル４０となる。前記クロッチ部片４６に綿天竺または綿トリコットなど肌当たりのよい素材を縫合すれば、下着４０としてガードルが完成する。
【００４２】
以上の第２実施例によれば、身体補整機能を有する縁部４２を構成する第６地糸６と第７地糸７とが、前記本体部４１を構成する第１地糸１乃至第４地糸４よりも細い糸を用いていて、しかも透視可能な糸密度の低い部分としたことで、生地５１の糸が細く且つ経編組織を本体部４１より変化させたことになり、身体補整機能を有する縁部４２があることによって、図示しない女性のヒップアップなどの身体補整機能を維持しつつ、その縁部４２を通して着用した女性の地肌が透視可能なので、ガードル４０は本体部４１のみしかないように見えることになる。つまり、このことを換言すると、あたかも縁部４２が存在していないように見えることとなり、身体補整機能を有するガードル４０がよりファッショナブルとなる。
【００４３】
また、縁部４２が細い糸よりなる第６地糸６と第７地糸７としか使っていないので薄くなり、違和感（存在感）を図示しない着用者に与えないことになる。更に、縁部４２が線となってアウターに現れないことにより、より手軽に装いを楽しみたいという女性の要望に応えられる下着とすることができる。
【００４４】
また、縁部４２の第６地糸６が、ナイロン糸の３０デニール以下であれば、第７地糸７は、ポリウレタン糸のクリアタイプの２１０デニールであっても、縁部４２の透視性能が確実なものとなるし、縁部４２自体が薄くなる。また、本体部４１の第１地糸１及び第２地糸２が２１０デニール以上のポリウレタン糸を用い、第３地糸３及び第４地糸４が４０デニール以上のナイロン糸を用いたことで、本体部４１は透視を妨げる性能が確実なものとなるので、女性の陰部などの隠したいものを確実に隠す効果を損なわないことになる。
【００４５】
更に、前記縁部４２の第６地糸６が、ナイロン糸の３０デニール以下であれば、第７地糸７は、ポリウレタン糸のクリアタイプの２１０デニールであっても、縁部４２の透視性能が確実なものとなるし、縁部４２自体が薄くなる。また、本体部４１の第１地糸１及び第２地糸２が２１０デニール以上のポリウレタン糸を用い、第３地糸３及び第４地糸４が４０デニール以上のナイロン糸を用いたことで、本体部４１は透視を妨げる性能が確実なものとなる。
【００４６】
図８及び図９に示すものは、この発明の第３実施例であり、身体補整機能を有する本体部５３及び縁部５４により構成するガードル５２は、本体部５３の上下幅が少なく、縁部５４のウエスト部５５の上下幅が本体部５３のそれとほぼ同じ上下幅を有する。縁部５４の裾部５６は、前記第１、第２実施例と同じである。
【００４７】
以上の第３実施例によれば、身体補整機能を有する縁部５４を構成する第６地糸６と第７地糸７とが、前記本体部５３を構成する第１地糸１乃至第４地糸４よりも細い糸を用いていて、しかも透視可能な糸密度の低い部分としたことで、生地の糸が細く且つ経編組織を本体部５３より変化させたことになり、ウエスト部５５のように上下幅が大きい身体補整機能を有する縁部５４があることによって、図示しない女性のヒップアップなどの身体補整機能を確実にしつつ、ウエスト部５５を通して着用した女性の地肌が透視可能なので、ガードル５２は上下幅が少ない本体部５３のみしかないように見えることになる。つまり、このことを換言すると、あたかも縁部５４が存在していないように見えることとなり、身体補整機能を有するガードル５２がよりファッショナブルとなる。
【００４８】
また、縁部５４が細い糸よりなる第６地糸６と第７地糸７としか使っていないので薄くなり、違和感（存在感）を図示しない着用者に与えないことになる。更に、縁部５４が線となってアウターに現れないことにより、より手軽に装いを楽しみたいという女性の要望に応えられるガードル５２とすることができる。
【００４９】
また、縁部５４の第６地糸６が、ナイロン糸の３０デニール以下であれば、第７地糸７は、ポリウレタン糸のクリアタイプの２１０デニールであっても、縁部５４の透視性能が確実なものとなるし、縁部５４自体が薄くなる。また、本体部５３の第１地糸１及び第２地糸２が２１０デニール以上のポリウレタン糸を用い、第３地糸３及び第４地糸４が４０デニール以上のナイロン糸を用いたことで、本体部５３は透視を妨げる性能が確実なものとなるので、女性の陰部などの隠したいものを確実に隠す効果を損なわないことになる。
【００５０】
更に、前記縁部５４の第６地糸６が、ナイロン糸の３０デニール以下であれば、第７地糸７は、ポリウレタン糸のクリアタイプの２１０デニールであっても、縁部５４の透視性能が確実なものとなるし、縁部５４自体が薄くなる。また、本体部５３の第１地糸１及び第２地糸２が２１０デニール以上のポリウレタン糸を用い、第３地糸３及び第４地糸４が４０デニール以上のナイロン糸を用いたことで、本体部５３は透視を妨げる性能が確実なものとなる。
【００５１】
図１０乃至図１２に示すものは、この発明の第４実施例であり、身体補整機能を有する本体部６１及び縁部６２より構成するガードル６０は、図１２に示すように生地６３のパターン配置されている。即ち、符号６４で示す位置が本体部６１となる腹部及び臀部充当部片６５と、クロッチ部片６６とよりなり、符号６７及び６８で示す位置が、即ち本体部６１の上下２箇所の縁部６２となるウエスト部６９と、裾縁部７０とよりなるから、縫製部７１で立体縫製することで、図１０及び図１１に示すガードル６０となる。前記クロッチ部片６６に綿天竺または綿トリコットなど肌当たりのよい素材を縫合すれば、ガードル６０が完成する。
【００５２】
以上の第４実施例によれば、身体補整機能を有する縁部６２を構成する第６地糸６と第７地糸７とが、前記本体部６１を構成する第１地糸１乃至第４地糸４よりも細い糸を用いていて、しかも透視可能な糸密度の低い部分としたことで、生地の糸が細く且つ経編組織を本体部６１より変化させたことになり、身体補整機能を有する縁部６２があることによって、図示しない女性のヒップアップなどの身体補整機能を維持しつつ、その縁部６２を通して着用した女性の地肌が透視可能なので、ガードル６０は、本体部６１のみしかないように見えることになる。つまり、このことを換言すると、あたかも縁部６２が存在していないように見えることとなり、身体補整機能を有するガードル６０がよりファッショナブルとなる。
【００５３】
また、縁部６２が細い糸よりなる第６地糸６と第７地糸７としか使っていないので薄くなり、違和感（存在感）を図示しない着用者に与えないことになる。更に、縁部６２が線となってアウターに現れないことにより、より手軽に装いを楽しみたいという女性の要望に応えられる下着とすることができる。
【００５４】
また、縁部６２の第６地糸６が、ナイロン糸の３０デニール以下であれば、第７地糸７は、ポリウレタン糸のクリアタイプの２１０デニールであっても、縁部６２の透視性能が確実なものとなるし、縁部６２自体が薄くなる。また、本体部６１の第１地糸１及び第２地糸２が２１０デニール以上のポリウレタン糸を用い、第３地糸３及び第４地糸４が４０デニール以上のナイロン糸を用いたことで、本体部６１は透視を妨げる性能が確実なものとなるので、女性の陰部などの隠したいものを確実に隠す効果を損なわないことになる。
【００５５】
更に、前記縁部６２の第６地糸６が、ナイロン糸の３０デニール以下であれば、第７地糸７は、ポリウレタン糸のクリアタイプの２１０デニールであっても、縁部６２の透視性能が確実なものとなるし、縁部６２自体が薄くなる。また、本体部６１の第１地糸１及び第２地糸２が２１０デニール以上のポリウレタン糸を用い、第３地糸３及び第４地糸４が４０デニール以上のナイロン糸を用いたことで、本体部６１は透視を妨げる性能が確実なものとなる。
【００５６】
図１３乃至図１５に示すものは、この発明の第５実施例であり、身体補整機能を有する本体部８１及び縁部８２により構成するガードル８０は、図１５に示すように生地８３のパターン配置されている。即ち、符号８４で示す位置が本体部８１となる右脇腹充当部片８５と、左脇腹充当部片８６と、局部充当部片８７と、クロッチ部片８８とよりなり、符号８９及び９０で示す位置が、即ち本体部８１の右脇腹充当部片８５、左脇腹充当部片８６、局部充当部片８７の上下２箇所の縁部８２となるウエスト部９１と、裾縁部９２とよりなるから、三枚の充当部片８５、８６、８７により縫製部９３で立体縫製することにより、図１３及び図１４に示すガードル８０となる。前記クロッチ部片８８に綿天竺または綿トリコットなど肌当たりのよい素材を縫合すれば、ガードル８０が完成する。
【００５７】
以上の第５実施例によれば、身体補整機能を有する縁部８２を構成する第６地糸６と第７地糸７とが、前記本体部８１を構成する第１地糸１乃至第４地糸４よりも細い糸を用いていて、しかも透視可能な糸密度の低い部分としたことで、生地の糸が細く且つ経編組織を本体部８１より変化させたことになり、身体補整機能を有する縁部８２があることによって、図示しない女性のヒップアップなどの身体補整機能を維持しつつ、その縁部８２を通して着用した女性の地肌が透視可能なので、下着８０は本体部８１のみしかないように見えることになる。つまり、このことを換言すると、あたかも縁部８２が存在していないように見えることとなり、身体補整機能を有するガードル８０がよりファッショナブルとなる。
【００５８】
また、縁部８２が細い糸よりなる第６地糸６と第７地糸７としか使っていないので薄くなり、違和感（存在感）を図示しない着用者に与えないことになる。更に、縁部８２が線となってアウターに現れないことにより、より手軽に装いを楽しみたいという女性の要望に応えられる下着とすることができる。
【００５９】
また、縁部８２の第６地糸６が、ナイロン糸の３０デニール以下であれば、第７地糸７は、ポリウレタン糸のクリアタイプの２１０デニールであっても、縁部８２の透視性能が確実なものとなるし、縁部８２自体が薄くなる。また、本体部８１の第１地糸１及び第２地糸２が２１０デニール以上のポリウレタン糸を用い、第３地糸３及び第４地糸４が４０デニール以上のナイロン糸を用いたことで、本体部８１は透視を妨げる性能が確実なものとなるので、女性の陰部などの隠したいものを確実に隠す効果を損なわないことになる。
【００６０】
更に、前記縁部８２の第６地糸６が、ナイロン糸の３０デニール以下であれば、第７地糸７は、ポリウレタン糸のクリアタイプの２１０デニールであっても、縁部８２の透視性能が確実なものとなるし、縁部８２自体が薄くなる。また、本体部８１の第１地糸１及び第２地糸２が２１０デニール以上のポリウレタン糸を用い、第３地糸３及び第４地糸４が４０デニール以上のナイロン糸を用いたことで、本体部８１は透視を妨げる性能が確実なものとなる。
【産業上の利用可能性】
【００６１】
前記実施例に説明した下着は、ガードルとして説明したが、これに限定されるものではなく、ショーツ、ブラジャー、キャミソール、アンダーシャツ、ボディスーツなどのように女性の身体に密着して着用されるものにも利用することができる。
【００６２】
また、身体補整機能として、ヒップアップを例に説明してきたが、これに限定されるものではなく、太腿やウエスト部を細くしたり、バストアップや下腹部の平坦化などが含まれる。更に、本体部によって覆われる対象として陰部を例に説明してきたが、これに限定されるものではなく、女性の乳首などが含まれる。
【００６３】
更に、本体部に用いられるポリウレタン糸の地糸は、クリアタイプを例に説明してきたが、これに限定されるものではなく、不透明タイプでも良い。
【００６４】
更に、縁部１２、４２、５４、６２、８２の第６地糸６がナイロン糸の３０デニール以下で第７地糸７がポリウレタン糸の２１０デニールとし、本体部１１、４１、５３、６１、８１の第１地糸１及び及び第２地糸２が２１０デニール以上で第３地糸３及び第４地糸４が４０デニール以上とすることを例に説明してきたが、これに限定されるものではなく、本体部１１、４１、５３、６１、８１が混率８５％のナイロン糸が４０デニールであると共に混率１５％のポリウレタン糸が１４０デニールで編まれ、縁部１２、４２、５４、６２、８２が混率８５％のナイロン糸が３０デニールであると共に混率１５％のポリウレタン糸が２１０デニールで編まれるものであっても良いし、本体部１１、４１、５３、６１、８１が混率８５％のナイロン糸が４０デニールであると共に混率１５％のポリウレタン糸が７０デニールで編まれ、縁部１２、４２、５４、６２、８２が混率８５％のナイロン糸が３０デニールであると共に混率１５％のポリウレタン糸が１４０デニールで編まれるものであっても良い。即ち、通常経編地のポリウレタン糸の混率は、１５％程度であるため、縁部のポリウレタン糸が太くなっても、糸密度を低く保つことは可能であって、こうした例に共通しているのは、前記ヘム生地に用いるナイロン糸による地糸は、前記本体部１１、４１、５３、６１、８１に用いたデニールよりも前記縁部１２、４２、５４、６２、８２に用いたデニールが小さい値であり、ポリウレタン糸による地糸は、前記本体部１１、４１、５３、６１、８１に用いたデニールよりも前記縁部１２、４２、５４、６２、８２に用いたデニールが大きい値であることにより、前記縁部１２、４２、５４、６２、８２の透視性を維持しつつ、縁部１２、４２、５４、６２、８２の伸張性が低くなり、着用した状態でのずり上がりが確実に妨げられることになる。勿論、前記本体部１１、４１、５３、６１、８１は透視を妨げる糸密度の高い部分とし、前記縁部１２、４２、５４、６２、８２は透視可能な糸密度の低い部分としている。
【図面の簡単な説明】
【００６５】
【図１】本発明の第１実施例に係るラッセル編地の各糸の構成を示す経編組織図である。
【図２】図１の経編組織図により立体縫製された下着を前から見た図である。
【図３】図２に示された下着を斜め後ろから見た図である。
【図４】図１乃至図３の生地のパターン配置図である。
【図５】本発明の第２実施例に係る立体縫製された下着を前から見た図である。
【図６】図５に示された下着を斜め後ろから見た図である。
【図７】図５及び図６の生地のパターン配置図である。
【図８】本発明の第３実施例に係る立体縫製された下着を前から見た図である。
【図９】図８に示された下着を斜め後ろから見た図である。
【図１０】本発明の第４実施例に係る立体縫製された下着を前から見た図である。
【図１１】図１０に示された下着を斜め後ろから見た図である。
【図１２】図１０及び図１１の生地のパターン配置図である。
【図１３】本発明の第５実施例に係る立体縫製された下着を前から見た図である。
【図１４】図１３に示された下着を斜め後ろから見た図である。
【図１５】図１３及び図１４の生地のパターン配置図である。
【符号の説明】
【００６６】
１  第１地糸
２  第２地糸
３  第３地糸
４  第４地糸
６  第６地糸
７  第７地糸
９  耳糸
１０、４０、５２、６０、８０  ガードル（下着）
１１、４１、５３、６１、８１  本体部
１２、４２、５４、６２、８２  縁部
【図１】
0005189826.tif 000002
【図２】
0005189826.tif 000003
【図３】
0005189826.tif 000004
【図４】
0005189826.tif 000005
【図５】
0005189826.tif 000006
【図６】
0005189826.tif 000007
【図７】
0005189826.tif 000008
【図８】
0005189826.tif 000009
【図９】
0005189826.tif 000010
【図１０】
0005189826.tif 000011
【図１１】
0005189826.tif 000012
【図１２】
0005189826.tif 000013
【図１３】
0005189826.tif 000014
【図１４】
0005189826.tif 000015
【図１５】
0005189826.tif 000016